(57)【要約】バックライト装置１２は、ＬＥＤ１７と、底板部１４ａを有するとともにＬＥＤ１７を収容するシャーシ１４と、ＬＥＤ１７の出光側に離れて配されるとともにＬＥＤ１７からの光を波長変換する蛍光体を含有する波長変換シート２０と、ＬＥＤ１７からの光を波長変換シート２０側へ反射する反射シート１９であって、底板部１４ａに倣う形で配される底側反射部１９ａと、底側反射部１９ａから波長変換シート２０側に向けて立ち上がる立ち上がり反射部１９ｂと、を少なくとも有する反射シート１９と、少なくとも立ち上がり反射部１９ｂの一部に設けられて底側反射部１９ａとの比較においてＬＥＤ１７の光の色味に近い色味を呈する呈色部２３と、を備える。
2016136787.tif 000002
【特許請求の範囲】
【請求項１】
光源と、
前記光源に対してその発光面側とは反対側に配される底部を有するとともに前記光源を収容するシャーシと、
前記光源の前記発光面と対向状をなす形でその出光側に離れて配されるとともに前記光源からの光を波長変換する蛍光体を含有する波長変換部材と、
前記光源からの光を前記波長変換部材側へ反射する反射部材であって、前記底部に倣う形で配される底側反射部と、前記底側反射部から前記波長変換部材側に向けて立ち上がる立ち上がり反射部と、を少なくとも有する反射部材と、
少なくとも前記立ち上がり反射部の一部に設けられて前記底側反射部との比較において前記光源の光の色味に近い色味を呈する呈色部と、を備える照明装置。
【請求項２】
前記呈色部は、前記光源の光とは補色の関係となる色の光の吸収率が、前記光源の光の吸収率よりも高いものとされる請求項１記載の照明装置。
【請求項３】
前記呈色部は、前記光源の光の反射率が、前記光源の光とは補色の関係となる色の光の反射率よりも相対的に高いものとされる請求項１または請求項２記載の照明装置。
【請求項４】
前記呈色部は、フィルム状をなしていて少なくとも前記立ち上がり反射部における前記波長変換部材側の面に貼り付けられている請求項１から請求項３のいずれか１項に記載の照明装置。
【請求項５】
前記呈色部は、少なくとも前記立ち上がり反射部における前記波長変換部材側の面に塗布されてなる請求項１から請求項３のいずれか１項に記載の照明装置。
【請求項６】
前記呈色部は、前記立ち上がり反射部のうち立ち上がり先端側の方が立ち上がり基端側よりも前記光源の光の色味に近い色味を呈するものとされる請求項１から請求項５のいずれか１項に記載の照明装置。
【請求項７】
前記立ち上がり反射部には、前記底側反射部に対して傾斜状をなすとともにその傾斜角度が相対的に小さな第１立ち上がり反射部と、前記傾斜角度が相対的に大きな第２立ち上がり反射部と、が少なくとも含まれており、前記呈色部は、少なくとも前記第１立ち上がり反射部に設けられている請求項１から請求項６のいずれか１項に記載の照明装置。
【請求項８】
前記呈色部は、前記第２立ち上がり反射部にも設けられるとともに、前記第１立ち上がり反射部に設けられるものの方が、前記第２立ち上がり反射部に設けられるものよりも、前記光源の光の色味に近い色味を呈するものとされる請求項７記載の照明装置。
【請求項９】
前記呈色部は、前記立ち上がり反射部と前記底側反射部とに跨る形で設けられている請求項１から請求項８のいずれか１項に記載の照明装置。
【請求項１０】
前記呈色部は、前記立ち上がり反射部と前記底側反射部との境界部分に選択的に設けられている請求項９記載の照明装置。
【請求項１１】
前記呈色部は、前記立ち上がり反射部の全域にわたって設けられている請求項１から請求項９のいずれか１項に記載の照明装置。
【請求項１２】
前記光源は、青色の光を発するものとされており、
前記波長変換部材は、前記蛍光体として、前記青色の光を緑色の光に波長変換する緑色蛍光体と、前記青色の光を赤色の光に波長変換する赤色蛍光体と、を少なくとも含有しており、
前記呈色部は、前記底側反射部との比較において青色味を呈するものとされる請求項１から請求項１１のいずれか１項に記載の照明装置。
【請求項１３】
前記波長変換部材は、前記蛍光体として量子ドット蛍光体を含有している請求項１から請求項１２のいずれか１項に記載の照明装置。
【請求項１４】
請求項１から請求項１３のいずれか１項に記載の照明装置と、前記照明装置から照射される光を利用して画像を表示する表示パネルと、を備える表示装置。
【請求項１５】
請求項１４記載の表示装置を備えるテレビ受信装置。
【発明の詳細な説明】
【技術分野】
【０００１】
本発明は、照明装置、表示装置、及びテレビ受信装置に関する。
【背景技術】
【０００２】
従来の液晶表示装置の一例として下記特許文献１に記載されたものが知られている。この特許文献１に記載された液晶表示装置は、液晶パネルと、液晶パネルに光を照射するディスプレイバックライトユニットと、を備える。ディスプレイバックライトユニットは、一次光源と、一次光源によって放出される一次光を導光する導光板と、導光板によって導光された一次光によって励起されて二次光を放出するＱＤ蛍光体材料を含むＱＤフィルムと、を備える。
【先行技術文献】
【特許文献】
【０００３】
【特許文献１】特表２０１３−５４４０１８号公報
【０００４】
（発明が解決しようとする課題）
上記した特許文献１に記載されたようなＱＤフィルムを、いわゆる直下型のバックライト装置に用いることを検討した場合、次のような問題が生じることが懸念される。すなわち、直下型のバックライト装置は、液晶パネルの直下位置に多数の光源が並んで配置される構成となっているが、バックライト装置内における一次光に係る光量の分布が画面中央側で高く、画面外周側で低くなりがちとされる。一次光にこのような光量分布が生じると、バックライト装置の出射光における一次光とＱＤフィルムにより変換される二次光との比率が、画面中央側と画面外周側とで異なるものとなり易く、色ムラが生じるおそれがあった。
【発明の概要】
【０００５】
本発明は上記のような事情に基づいて完成されたものであって、色ムラの発生を抑制することを目的とする。
【０００６】
（課題を解決するための手段）
本発明の照明装置は、光源と、前記光源に対してその発光面側とは反対側に配される底部を有するとともに前記光源を収容するシャーシと、前記光源の前記発光面と対向状をなす形でその出光側に離れて配されるとともに前記光源からの光を波長変換する蛍光体を含有する波長変換部材と、前記光源からの光を前記波長変換部材側へ反射する反射部材であって、前記底部に倣う形で配される底側反射部と、前記底側反射部から前記波長変換部材側に向けて立ち上がる立ち上がり反射部と、を少なくとも有する反射部材と、少なくとも前記立ち上がり反射部の一部に設けられて前記底側反射部との比較において前記光源の光の色味に近い色味を呈する呈色部と、を備える。
【０００７】
このようにすれば、光源から発せられた光は、反射部材により反射されるなどして光源の発光面と対向状をなす形でその出光側に離れて配される波長変換部材に含有される蛍光体によって波長変換されて出射される。反射部材の立ち上がり反射部の少なくとも一部には、呈色部が設けられているから、呈色部が設けられた立ち上がり反射部よる反射光は、底側反射部による反射光に比べると、光源の光の色味に近い色味を帯びることになる。従って、光源から発せられて立ち上がり反射部にて反射される光の量が、底側反射部にて反射される光の量よりも少なくなっていても、立ち上がり反射部による反射光と、底側反射部による反射光と、に色味の差が生じ難いものとなる。それに加えて、立ち上がり反射部にて多重反射が生じて波長変換部材による光の波長変換効率が高くなった場合でも、その反射光の色味と底側反射部による反射光の色味との間に差が生じ難くなる。もって、当該照明装置の出射光に色ムラが生じ難いものとなる。
【０００８】
本発明の実施態様として、次の構成が好ましい。
（１）前記呈色部は、前記光源の光とは補色の関係となる色の光の吸収率が、前記光源の光の吸収率よりも高いものとされる。このようにすれば、立ち上がり反射部にて反射される光のうち、光源の光とは補色の関係となる色の光は、光源の光よりも呈色部によって相対的に多く吸収されることになる。これにより、立ち上がり反射部にて反射される光の色味を光源の光の色味に近くすることができる。
【０００９】
（２）前記呈色部は、前記光源の光の反射率が、前記光源の光とは補色の関係となる色の光の反射率よりも相対的に高いものとされる。このようにすれば、立ち上がり反射部にて反射される光のうち、光源の光は、光源の光とは補色の関係となる色の光よりも呈色部によって相対的に多く反射されることになる。これにより、立ち上がり反射部にて反射される光の色味を光源の光の色味に近くすることができる。
【００１０】
（３）前記呈色部は、フィルム状をなしていて少なくとも前記立ち上がり反射部における前記波長変換部材側の面に貼り付けられている。このようにすれば、仮に立ち上がり反射部と底側反射部とで光の吸収率や反射率が異なる反射部材を製造した場合に比べると、製造コストが低いものとなる。また、例えば、呈色部を貼り付けずに反射部材を使用することも可能となるので、呈色部が必要な反射部材と、呈色部が不要な反射部材と、でベースとなる反射部材を共通化することができる。
【００１１】
（４）前記呈色部は、少なくとも前記立ち上がり反射部における前記波長変換部材側の面に塗布されてなる。このようにすれば、仮に立ち上がり反射部と底側反射部とで光の吸収率や反射率が異なる反射部材を製造した場合に比べると、製造コストが低いものとなる。また、例えば、呈色部を塗布せずに反射部材を使用することも可能となるので、呈色部が必要な反射部材と、呈色部が不要な反射部材と、でベースとなる反射部材を共通化することができる。
【００１２】
（５）前記呈色部は、前記立ち上がり反射部のうち立ち上がり先端側の方が立ち上がり基端側よりも前記光源の光の色味に近い色味を呈するものとされる。立ち上がり反射部のうち、立ち上がり先端側では、立ち上がり基端側に比べると、光源からの光の量が少なくなるとともに、多重反射に伴う波長変換部材による光の波長変換効率がより高くなる傾向にある。その点、呈色部は、立ち上がり反射部のうち、立ち上がり先端側の方が立ち上がり基端部よりも光源の光の色味に近い色味を呈するものとされているから、立ち上がり反射部において立ち上がり先端側と立ち上がり基端側との間に色ムラが生じ難いものとなる。
【００１３】
（６）前記立ち上がり反射部には、前記底側反射部に対して傾斜状をなすとともにその傾斜角度が相対的に小さな第１立ち上がり反射部と、前記傾斜角度が相対的に大きな第２立ち上がり反射部と、が少なくとも含まれており、前記呈色部は、少なくとも前記第１立ち上がり反射部に設けられている。第１立ち上がり反射部では、第２立ち上がり反射部に比べると、光源からの光の量が少なくなるとともに、多重反射に伴う波長変換部材による光の波長変換効率がより高くなる傾向にある。その点、呈色部は、少なくとも第１立ち上がり反射部に設けられているので、少なくとも第１立ち上がり反射部にて生じ得る色ムラを好適に緩和することができる。
【００１４】
（７）前記呈色部は、前記第２立ち上がり反射部にも設けられるとともに、前記第１立ち上がり反射部に設けられるものの方が、前記第２立ち上がり反射部に設けられるものよりも、前記光源の光の色味に近い色味を呈するものとされる。呈色部が第２立ち上がり反射部に設けられることで、第２立ち上がり反射部にて生じ得る色ムラを好適に緩和することができる。しかも、第１立ち上がり反射部に設けられる呈色部の方が、第２立ち上がり反射部に設けられる呈色部よりも、光源の光の色味に近い色味を呈することで、第１立ち上がり反射部による反射光と第２立ち上がり反射部による反射光との間に色味の差が生じ難いものとなり、色ムラの緩和を図る上で一層好適とされる。
【００１５】
（８）前記呈色部は、前記立ち上がり反射部と前記底側反射部とに跨る形で設けられている。このようにすれば、立ち上がり反射部のみならず底側反射部にまで色ムラの発生が懸念される場合に好適とされる。
【００１６】
（９）前記呈色部は、前記立ち上がり反射部と前記底側反射部との境界部分に選択的に設けられている。例えば、立ち上がり反射部と底側反射部との境界位置から光源までの距離が大きな場合には、立ち上がり反射部と底側反射部との境界位置付近において局所的に色ムラが生じるおそれがあるが、そのような場合でも、立ち上がり反射部と底側反射部との境界部分に呈色部を選択的に設けることで、色ムラの緩和に好適となる。
【００１７】
（１０）前記呈色部は、前記立ち上がり反射部の全域にわたって設けられている。このようにすれば、立ち上がり反射部による反射光と、底側反射部による反射光と、に色味の差がより生じ難いものとなる。
【００１８】
（１１）前記光源は、青色の光を発するものとされており、前記波長変換部材は、前記蛍光体として、前記青色の光を緑色の光に波長変換する緑色蛍光体と、前記青色の光を赤色の光に波長変換する赤色蛍光体と、を少なくとも含有しており、前記呈色部は、前記底側反射部との比較において青色味を呈するものとされる。このようにすれば、立ち上がり反射部よる反射光は、底側反射部による反射光に比べると、光源から発せられた青色の光に近い青色味を帯びることになる。従って、光源から発せられて立ち上がり反射部にて反射される光の量が、底側反射部にて反射される光の量よりも少なくなっていても、立ち上がり反射部による反射光と、底側反射部による反射光と、に色味の差が生じ難いものとなる。それに加えて、立ち上がり反射部による多重反射が生じて波長変換部材による光の波長変換効率が高くなり、緑色の光及び赤色の光の比率が高くなることが懸念される場合でも、その反射光の色味と底側反射部による反射光の色味との間に差が生じ難くなる。もって、当該照明装置の出射光に色ムラが生じ難いものとなる。
【００１９】
（１２）前記波長変換部材は、前記蛍光体として量子ドット蛍光体を含有している。このようにすれば、波長変換部材による光の波長変換効率がより高いものとなるとともに、波長変換された光の色純度が高いものとなる。
【００２０】
次に、上記課題を解決するために、本発明の表示装置は、上記記載の照明装置と、前記照明装置から照射される光を利用して画像を表示する表示パネルと、を備える表示装置。このような構成の表示装置によれば、照明装置の出射光が色ムラの発生が抑制されたものとなっているから、表示品位に優れた表示を実現することができる。
【００２１】
さらには、上記課題を解決するために、本発明のテレビ受信装置は、上記記載の表示装置を備えるテレビ受信装置。このようなテレビ受信装置によれば、表示装置の表示品位が優れたものとされているから、表示品位に優れたテレビ画像の表示を実現することができる。
【００２２】
（発明の効果）
本発明によれば、色ムラの発生を抑制することができる。
【図面の簡単な説明】
【００２３】
【図１】本発明の実施形態１に係るテレビ受信装置の概略構成を示す分解斜視図
【図２】テレビ受信装置が備える液晶表示装置の概略構成を示す分解斜視図
【図３】液晶表示装置に備わるバックライト装置の平面図
【図４】液晶表示装置の短辺方向に沿った断面構成を示す断面図
【図５】液晶表示装置の長辺方向に沿った断面構成を示す断面図
【図６】図４の拡大断面図
【図７】図５の拡大断面図
【図８】本発明の実施形態２に係るバックライト装置の平面図
【図９】本発明の実施形態３に係るバックライト装置の平面図
【図１０】図９のx-x線断面図
【図１１】本発明の実施形態４に係るバックライト装置の平面図
【図１２】本発明の実施形態５に係るバックライト装置の平面図
【図１３】本発明の実施形態６に係るバックライト装置の短辺方向に沿った断面構成を示す断面図
【図１４】本発明の実施形態７に係るバックライト装置の短辺方向に沿った断面構成を示す断面図
【図１５】本発明の実施形態８に係るバックライト装置の短辺方向に沿った断面構成を示す断面図
【図１６】本発明の実施形態９に係るバックライト装置の平面図
【発明を実施するための形態】
【００２４】
＜実施形態１＞
本発明の実施形態１を図１から図７によって説明する。本実施形態では、液晶表示装置１０について例示する。なお、各図面の一部にはＸ軸、Ｙ軸及びＺ軸を示しており、各軸方向が各図面で示した方向となるように描かれている。また、図４及び図５などに示す上側を表側とし、同図下側を裏側とする。
【００２５】
本実施形態に係るテレビ受信装置１０ＴＶは、図１に示すように、液晶表示装置１０と、当該液晶表示装置１０を挟むようにして収容する表裏両キャビネット１０Ｃａ，１０Ｃｂと、電源１０Ｐと、テレビ信号を受信するチューナー（受信部）１０Ｔと、スタンド１０Ｓと、を備えて構成される。液晶表示装置（表示装置）１０は、全体として横長（長手）の方形状（矩形状）をなし、縦置き状態で収容されている。この液晶表示装置１０は、図２に示すように、画像を表示する表示パネルである液晶パネル１１と、液晶パネル１１に表示のための光を供給する外部光源であるバックライト装置（照明装置）１２と、を備え、これらが枠状のベゼル１３などにより一体的に保持されるようになっている。
【００２６】
次に、液晶表示装置１０を構成する液晶パネル１１及びバックライト装置１２について順次に説明する。このうち、液晶パネル（表示パネル）１１は、平面に視て横長な方形状をなしており、一対のガラス基板が所定のギャップを隔てた状態で貼り合わせられるとともに、両ガラス基板間に液晶が封入された構成とされる。一方のガラス基板（アレイ基板、アクティブマトリクス基板）には、互いに直交するソース配線とゲート配線とに接続されたスイッチング素子（例えばＴＦＴ）、そのスイッチング素子に接続された画素電極、さらには配向膜等が設けられ、他方のガラス基板（対向基板、ＣＦ基板）には、Ｒ（赤色），Ｇ（緑色），Ｂ（青色）等の各着色部が所定配列で配置されたカラーフィルタや対向電極、さらには配向膜等が設けられている。なお、両ガラス基板の外側にはそれぞれ偏光板が配されている。
【００２７】
続いて、バックライト装置１２について詳しく説明する。バックライト装置１２は、図２に示すように、表側（光出射側、液晶パネル１１側）に開口する光出射部１４ｂを有した略箱型をなすシャーシ１４と、シャーシ１４の光出射部１４ｂを覆うようにして配される光学部材１５と、シャーシ１４の外縁部に沿って配され光学部材１５の外縁部をシャーシ１４との間で挟んで保持するフレーム１６と、を備える。さらに、シャーシ１４内には、ＬＥＤ（光源）１７と、ＬＥＤ１７が実装されたＬＥＤ基板１８と、シャーシ１４内の光を反射させる反射シート（反射部材）１９と、が備えられる。このように、本実施形態に係るバックライト装置１２は、シャーシ１４内において液晶パネル１１及び光学部材１５の直下位置にＬＥＤ１７が配されてその発光面１７ａが対向状をなす、いわゆる直下型とされる。以下では、バックライト装置１２の各構成部品について詳しく説明する。
【００２８】
シャーシ１４は、例えばアルミニウム板や電気亜鉛めっき綱板（ＳＥＣＣ）などの金属板からなり、図３から図５に示すように、液晶パネル１１と同様に横長な方形状（矩形状、長方形状）をなす底板部（底部）１４ａと、底板部１４ａの各辺（一対の長辺及び一対の短辺）の外端からそれぞれ表側（光出射側）に向けて立ち上がる側板部（側部）１４ｃと、各側板部１４ｃの立ち上がり端から外向きに張り出す受け板部（受け部）１４ｄと、からなり、全体としては表側に向けて開口した浅い略箱型（略浅皿状）をなしている。シャーシ１４は、その長辺方向がＸ軸方向と一致し、短辺方向がＹ軸方向と一致している。シャーシ１４における底板部１４ａは、ＬＥＤ基板１８に対して裏側、つまりＬＥＤ１７に対してその発光面１７ａ側（光出射側）とは反対側に配されている。シャーシ１４における各側板部１４ｃは、底板部１４ａに対して傾斜状をなしている。シャーシ１４における各受け板部１４ｄには、表側からフレーム１６及び次述する光学部材１５が載置可能とされる。各受け板部１４ｄには、フレーム１６が固定されている。
【００２９】
光学部材１５は、図２に示すように、液晶パネル１１及びシャーシ１４と同様に平面に視て横長の方形状をなしている。光学部材１５は、図４及び図５に示すように、その外縁部が受け板部１４ｄに載せられることで、シャーシ１４の光出射部１４ｂを覆うとともに、液晶パネル１１とＬＥＤ１７との間に介在して配される。光学部材１５は、ＬＥＤ１７の発光面１７ａに対して表側、つまり光出射側に所定の間隔を空けて対向状をなしている。光学部材１５は、裏側（ＬＥＤ１７側、光出射側とは反対側）に配される拡散板１５ａと、表側（液晶パネル１１側、光出射側）に配される光学シート１５ｂと、から構成される。拡散板１５ａは、所定の厚みを持つほぼ透明な樹脂製の基材内に拡散粒子を多数分散して設けた構成とされ、透過する光を拡散させる機能を有する。光学シート１５ｂは、拡散板１５ａと比べると板厚が薄いシート状をなしており、３枚が積層して配されており、その中にはＬＥＤ１７から発せられた光を他の波長の光へと波長変換する波長変換シート（波長変換部材）２０が含まれている。具体的には、光学シート１５ｂは、波長変換シート２０と、波長変換シート２０の表側に重ねられるプリズムシート２１と、プリズムシート２１の表側に重ねられる反射型偏光シート２２と、から構成される。このうちの波長変換シート２０に関しては、後に改めて詳しく説明する。
【００３０】
プリズムシート２１は、基材と、基材における表側の板面に設けられるプリズム部と、を有しており、このうちのプリズム部が、Ｘ軸方向に沿って延在するとともにＹ軸方向に沿って多数並んで配される単位プリズムから構成されている。このような構成により、プリズムシート２１は、波長変換シート２０からの光に、Ｙ軸方向（単位プリズムの並び方向、単位プリズムの延在方向と直交する方向）について選択的に集光作用（異方性集光作用）を付与するものとされる。反射型偏光シート２２は、反射型偏光フィルムと、反射型偏光フィルムを表裏から挟み込む一対の拡散フィルムと、から構成される。反射型偏光フィルムは、例えば屈折率の互いに異なる層を交互に積層した多層構造を有しており、プリズムシート２１からの光のうちｐ波を透過させ、ｓ波を裏側へ反射させる構成となっている。反射型偏光フィルムによって反射されたｓ波は、後述する反射シート１９などによって、再度表側に反射され、その際に、ｓ波とｐ波に分離する。このように、反射型偏光シート２２は、反射型偏光フィルムを備えることで、本来ならば、液晶パネル１１の偏光板によって吸収されるｓ波を、裏側（反射シート１９側）へ反射させることで再利用することができ、光の利用効率（ひいては輝度）を高めることができる。一対の拡散フィルムは、ポリカーボネートなどの合成樹脂材料からなり、反射型偏光フィルム側とは反対側の板面にエンボス加工が施されることで、光に拡散作用を付与するものとされる。
【００３１】
フレーム１６は、図２に示すように、液晶パネル１１及び光学部材１５の外周縁部に沿う枠状をなしている。このフレーム１６と各受け板部１４ｄとの間で光学部材１５における外縁部を挟持可能とされている（図４及び図５）。また、このフレーム１６は、液晶パネル１１における外縁部を裏側から受けることができ、表側に配されるベゼル１３との間で液晶パネル１１の外縁部を挟持可能とされる（図４及び図５）。
【００３２】
次に、ＬＥＤ１７及びＬＥＤ１７が実装されるＬＥＤ基板１８について説明する。ＬＥＤ１７は、図４及び図５に示すように、ＬＥＤ基板１８上に表面実装されるとともにその発光面１７ａがＬＥＤ基板１８側とは反対側を向いた、いわゆる頂面発光型とされており、その光軸がＺ軸方向、つまり液晶パネル１１の表示面（光学部材１５の板面）に対する法線方向と一致している。ここで言う「光軸」とは、ＬＥＤ１７における発光光のうち、発光強度が最も高い（ピークとなる）光の進行方向と一致する軸のことである。詳しくは、ＬＥＤ１７は、図６及び図７に示すように、発光源である青色ＬＥＤ素子（青色発光素子、青色ＬＥＤチップ）を、封止材によってケース内に封止してなるものとされる。つまり、このＬＥＤ１７は、青色の単色光を発する青色ＬＥＤとされている。そして、ＬＥＤ１７から発せられた青色の光は、その一部が詳しくは後述する波長変換シート２０によって緑色の光や赤色の光に波長変換されるようになっており、これら波長変換された緑色の光及び赤色の光と、ＬＥＤ１７の青色の光と、の加法混色によりバックライト装置１２の出射光が概ね白色を呈するものとされる。ＬＥＤ１７に備わる青色ＬＥＤ素子は、例えばＩｎＧａＮなどの半導体材料からなる半導体であり、順方向に電圧が印加されることで青色の波長領域（約４２０ｎｍ〜約５００ｎｍ）に含まれる波長の青色の単色光を発光するものとされる。つまり、ＬＥＤ１７の発光光は、この青色ＬＥＤ素子の発光光と同色の単色光とされる。この青色ＬＥＤ素子は、図示しないリードフレームによってケース外に配されたＬＥＤ基板１８における配線パターンに接続される。
【００３３】
ＬＥＤ基板１８は、図３に示すように、やや縦長な方形状（矩形状、長方形状）をなしており、長辺方向がＹ軸方向と一致し、短辺方向がＸ軸方向と一致する状態でシャーシ１４内において底板部１４ａに沿って延在しつつ収容されている。ＬＥＤ基板１８の基材は、シャーシ１４と同じアルミ系材料などの金属製とされ、その表面に絶縁層を介して銅箔などの金属膜からなる配線パターン（図示せず）が形成され、さらには最外表面には、白色を呈する反射層（図示せず）が形成された構成とされる。なお、ＬＥＤ基板１８の基材に用いる材料としては、セラミックなどの絶縁材料を用いることも可能である。このＬＥＤ基板１８の基材の板面のうち、表側を向いた板面（光学部材１５側を向いた板面）には、上記した構成のＬＥＤ１７が表面実装されており、ここが実装面１８ａとされる。ＬＥＤ１７は、ＬＥＤ基板１８の実装面１８ａの面内において複数ずつ行列状（マトリクス状、碁盤目状）に並列して配されるとともに、実装面１８ａの面内に配索形成された配線パターンによって相互が電気的に接続されている。具体的には、ＬＥＤ基板１８の実装面１８ａ上には、その短辺方向（Ｘ軸方向）に沿って５個（相対的に少ない数）ずつ、長辺方向（Ｙ軸方向）に沿って６個（相対的に多い数）ずつのＬＥＤ１７が行列状に並んで配置されている。ＬＥＤ基板１８における各ＬＥＤ１７の配列ピッチは、ほぼ一定とされ、詳しくはＸ軸方向（行方向）及びＹ軸方向（列方向）についてそれぞれほぼ等間隔に配列されている。
【００３４】
上記した構成のＬＥＤ基板１８は、図３に示すように、シャーシ１４内においてＸ軸方向及びＹ軸方向に沿って複数ずつが互いに長辺方向及び短辺方向を揃えた状態で並列して配置されている。具体的には、ＬＥＤ基板１８は、シャーシ１４内においてＸ軸方向に沿って４枚（相対的に多い数）ずつ、Ｙ軸方向に沿って２枚（相対的に少ない数）ずつ、それぞれ並んで配されており、それらの並び方向がＸ軸方向及びＹ軸方向とそれぞれ一致している。Ｘ軸方向及びＹ軸方向についてそれぞれ隣り合うＬＥＤ基板１８間の配列間隔は、ほぼ一定とされる。そして、シャーシ１４の底板部１４ａの面内においてＬＥＤ１７は、Ｘ軸方向（行方向）及びＹ軸方向（列方向）についてそれぞれほぼ等間隔となるよう行列状に並ぶよう平面配置されている。具体的には、ＬＥＤ１７は、シャーシ１４の底板部１４ａの面内においてその長辺方向（Ｘ軸方向）に沿って２０個ずつ、短辺方向（Ｙ軸方向）に沿って１２個ずつが行列状に並ぶ形で平面配置されている。これらのＬＥＤ１７群の全てに対して、シャーシ１４の光出射部１４ｂを覆う形で配された光学部材１５は、所定の間隔を空けつつ対向状に配されている。なお、各ＬＥＤ基板１８には、図示しない配線部材が接続されるコネクタ部が設けられており、配線部材を介して図示しないＬＥＤ駆動基板（光源駆動基板）から駆動電力が供給されるようになっている。
【００３５】
反射シート１９は、合成樹脂製とされ、表面が光の反射性に優れた白色を呈するものとされる。反射シート１９は、その表面にて特定の波長の光を吸収することがなく、全ての可視光線を乱反射するものとされており、全域にわたって光の反射率がほぼ一定とされている。反射シート１９は、図３から図５に示すように、シャーシ１４の内面のほぼ全域にわたって敷設される大きさを有しているので、シャーシ１４内に配されたＬＥＤ基板１８をほぼ全域にわたって表側（光出射側、光学部材１５側）から覆うことが可能とされる。この反射シート１９によりシャーシ１４内の光を表側（光出射側、光学部材１５側）に向けて反射させることができるようになっている。反射シート１９は、ＬＥＤ基板１８（底板部１４ａ）に沿って延在するとともに各ＬＥＤ基板１８を一括してそのほぼ全域を覆う大きさの底側反射部１９ａと、底側反射部１９ａの各外端から表側に立ち上がるとともに底側反射部１９ａに対して傾斜状をなす４つの立ち上がり反射部１９ｂと、各立ち上がり反射部１９ｂの外端から外向きに延出するとともにシャーシ１４の受け板部１４ｄに載せられる延出部１９ｃとから構成されている。この反射シート１９の底側反射部１９ａが各ＬＥＤ基板１８における表側の面、つまりＬＥＤ１７の実装面１８ａに対して表側に重なるよう配される。また、反射シート１９の底側反射部１９ａには、各ＬＥＤ１７と平面に視て重畳する位置に各ＬＥＤ１７を個別に挿通するＬＥＤ挿通孔（光源挿通孔）１９ｄが開口して設けられている。このＬＥＤ挿通孔１９ｄは、各ＬＥＤ１７の配置に対応してＸ軸方向及びＹ軸方向について行列状（マトリクス状）に複数が並列配置されている。
【００３６】
立ち上がり反射部１９ｂは、図３に示すように、底側反射部１９ａにおける短辺側の両外端からそれぞれ立ち上がる一対の短辺側立ち上がり反射部（第１立ち上がり反射部）１９ｂＡと、底側反射部１９ａにおける長辺側の両外端からそれぞれ立ち上がる一対の長辺側立ち上がり反射部（第２立ち上がり反射部）１９ｂＢと、から構成される。なお、以下では立ち上がり反射部１９ｂを区別する場合には、短辺側立ち上がり反射部の符号に添え字Ａを、長辺側立ち上がり反射部の符号に添え字Ｂを付し、区別せずに総称する場合には、符号に添え字を付さないものとする。短辺側立ち上がり反射部１９ｂＡは、図５に示すように、底側反射部１９ａに対する傾斜角度が相対的に小さなものとされ、相対的に緩やかな勾配を有している。その一方、短辺側立ち上がり反射部１９ｂＡは、立ち上がり基端位置から立ち上がり先端位置に至るまでの直線距離が相対的に長いものとされる。従って、ＬＥＤ１７から発せられて短辺側立ち上がり反射部１９ｂＡにより反射される光の量が相対的に少ないものとされるとともに、短辺側立ち上がり反射部１９ｂＡにより立ち上げられた後に光学部材１５により戻された光が短辺側立ち上がり反射部１９ｂＡにて相対的に多重反射され易くなる傾向にある。これに対し、長辺側立ち上がり反射部１９ｂＢは、図４に示すように、底側反射部１９ａに対する傾斜角度が相対的に大きなものとされ、相対的に急な勾配を有している。その一方、長辺側立ち上がり反射部１９ｂＢは、立ち上がり基端位置から立ち上がり先端位置に至るまでの直線距離が相対的に短いものとされる。従って、ＬＥＤ１７から発せられて長辺側立ち上がり反射部１９ｂＢにより反射される光の量が相対的に多くなるものとされるとともに、長辺側立ち上がり反射部１９ｂＢにより立ち上げられた後に光学部材１５により戻された光が長辺側立ち上がり反射部１９ｂＢにて相対的に多重反射され難くなる傾向にある。
【００３７】
次に、波長変換シート２０に関して詳しく説明する。波長変換シート２０は、ＬＥＤ１７からの光を波長変換するための蛍光体（波長変換物質）を含有する蛍光体層（波長変換層）と、蛍光体層を表裏から挟み込んでこれを保護する一対の保護層と、から構成されている。蛍光体層には、ＬＥＤ１７からの青色の単色光を励起光として、赤色の光（赤色に属する特定の波長領域の可視光線）を発する赤色蛍光体と、緑色（緑色に属する特定の波長領域の可視光線）の光を発する緑色蛍光体と、が分散配合されている。
【００３８】
より詳しくは、蛍光体層に含有される各色の蛍光体は、いずれも励起光が青色の光とされており、次のような発光スペクトルを有している。すなわち、緑色蛍光体は、青色の光を励起光として、緑色に属する波長領域（約５００ｎｍ〜約５７０ｎｍ）の光、つまり緑色の光を蛍光光として発するものとされる。緑色蛍光体は、好ましくは、ピークのピーク波長が緑色の光の波長範囲の中の約５３０ｎｍとされ且つピークの半値幅が４０ｎｍ未満とされる発光スペクトルを有する。赤色蛍光体は、青色の光を励起光として、赤色に属する波長領域（約６００ｎｍ〜約７８０ｎｍ）の光、つまり赤色の光を蛍光光として発するものとされる。赤色蛍光体は、好ましくは、ピークのピーク波長が赤色の光の波長範囲の中の約６１０ｎｍとされ且つピークの半値幅が４０ｎｍ未満とされる発光スペクトルを有する。
【００３９】
このように、各色の蛍光体は、励起波長が蛍光波長よりも短波長とされるダウンコンバージョン型（ダウンシフティング型）とされている。このダウンコンバージョン型の蛍光体は、相対的に短波長で且つ高いエネルギーを持つ励起光を、相対的に長波長で且つ低いエネルギーを持つ蛍光光に変換するものとされる。従って、仮に励起波長が蛍光波長よりも長波長とされるアップコンバージョン型の蛍光体を用いた場合（量子効率が例えば２８％程度）に比べると、量子効率（光の変換効率）が３０％〜５０％程度と、より高いものとなっている。各色の蛍光体は、それぞれ量子ドット蛍光体（Quantum Dot Phosphor）とされる。量子ドット蛍光体は、ナノサイズ（例えば直径２ｎｍ〜１０ｎｍ程度）の半導体結晶中に電子・正孔や励起子を三次元空間全方位で閉じ込めることで、離散的エネルギー準位を有しており、そのドットのサイズを変えることで発光光のピーク波長（発光色）などを適宜に選択することが可能とされる。この量子ドット蛍光体の発光光（蛍光光）は、その発光スペクトルにおけるピークが急峻となってその半値幅が狭くなることから、色純度が極めて高くなるとともにその色域が広いものとなる。量子ドット蛍光体の材料としては、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ（セレン化カドミウム）、ＺｎＳ（硫化亜鉛）等）、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）、さらにはカルコパイライト型化合物（ＣｕＩｎＳｅ2等）などがある。本実施形態では、量子ドット蛍光体の材料として、上記のうちのＣｄＳｅとＺｎＳとを併用している。また、本実施形態において用いる量子ドット蛍光体は、いわゆるコア・シェル型量子ドット蛍光体とされる。コア・シェル型量子ドット蛍光体は、量子ドットの周囲を、比較的バンドギャップの大きな半導体物質からなるシェルによって被覆した構成とされる。具体的には、コア・シェル型量子ドット蛍光体として、シグマ  アルドリッチ  ジャパン合同会社の製品である「Lumidot（登録商標）  ＣｄＳｅ／ＺｎＳ」を用いるのが好ましい。
【００４０】
ところで、本実施形態に係る直下型のバックライト装置１２では、液晶パネル１１の直下位置に多数のＬＥＤ１７が並んで配置される構成となっているが、バックライト装置１２内においてＬＥＤ１７から発せられた一次光に係る光量の分布が画面中央側で高く、画面外周側で低くなりがちとされる。これは、主には、バックライト装置１２内におけるＬＥＤ１７の配置領域が反射シート１９の底側反射部１９ａのみに限定されていて、立ち上がり反射部１９ｂにはＬＥＤ１７が配置されないことに因る。つまり、ＬＥＤ１７は、底側反射部１９ａと平面に視て重畳する形で配され、各立ち上がり反射部１９ｂとは平面に視て非重畳の配置となっているため、各立ち上がり反射部１９ｂにより反射されるＬＥＤ１７の光の量が相対的に少なくなっている。ＬＥＤ１７から発せられた一次光にこのような光量分布の偏りが生じると、バックライト装置１２の出射光における一次光と波長変換シート２０により変換される二次光との比率が、画面中央側と画面外周側とで異なるものとなり易く、色ムラが生じるおそれがあった。具体的には、画面外周側では、ＬＥＤ１７から発せられた一次光の光量が相対的に少なくなるのに加えて、立ち上がり反射部１９ｂと光学部材１５との間の距離が相対的に短くなるために立ち上がり反射部１９ｂによる反射光が光学部材１５との間で多重反射し易くなることで波長変換シート２０による波長変換効率が相対的に高くなる、などの原因により出射光が相対的に黄色味を帯び易いものとなっていた。
【００４１】
そこで、本実施形態に係るバックライト装置１２は、図３及び図６に示すように、反射シート１９の立ち上がり反射部１９ｂに、底側反射部１９ａとの比較においてＬＥＤ１７の光の色味に近い色味を呈する呈色部２３が設けられた構成となっている。詳しくは、白色を呈する底側反射部１９ａに対し、呈色部２３は、ＬＥＤ１７の光の色味、つまり青色味を呈するものとされる。呈色部２３は、表面が白色を呈するフィルム状の反射基材を有するとともにその反射基材の表面（波長変換シート２０側の面を含む）に青色を呈する塗料（顔料または染料を含む）を塗布してなるものとされる。呈色部２３に有されて青色を呈する塗料は、ＬＥＤ１７の発光光（一次光）である青色の光の補色となる黄色の光の吸収率が、反射シート１９の底側反射部１９ａにおける黄色の光の吸収率よりも相対的に高いものとされる。なお、ここで言う「黄色の光」には、黄色に属する波長領域（約５７０ｎｍ〜約６００ｎｍ）の光が含まれるのは勿論のこと、緑色に属する波長領域の光（緑色蛍光体から発せられる緑色の光）と赤色に属する波長領域の光（赤色蛍光体から発せられる赤色の光）との合成した光も含まれる。従って、呈色部２３は、青色の光の反射率が、反射シート１９の底側反射部１９ａにおける青色の光の反射率よりも相対的に高いものとされ、また、黄色の光の反射率が、反射シート１９の底側反射部１９ａにおける黄色の光の反射率よりも相対的に低いものとされる。つまり、呈色部２３は、黄色の光をより少なく反射して青色の光をより多く反射する、という波長選択性反射機能を有していることになる。これにより、呈色部２３が設けられた立ち上がり反射部１９ｂでは、その反射光が、底側反射部１９ａによる反射光に比べると、青色味、つまりＬＥＤ１７の青色の光の色味に近い色味を帯びることになる。従って、ＬＥＤ１７から発せられた光のうち、呈色部２３が設けられた立ち上がり反射部１９ｂにて反射される光（一次光）の量が、底側反射部１９ａにて反射される光（一次光）の量よりも少なくなっていても、呈色部２３が設けられた立ち上がり反射部１９ｂによる反射光と、底側反射部１９ａによる反射光と、に色味の差が生じ難いものとなる。それに加えて、呈色部２３が設けられた立ち上がり反射部１９ｂと光学部材１５との間で多重反射が生じて波長変換シート２０による光の波長変換効率が局所的に高くなった場合でも、その反射光の色味と底側反射部１９ａによる反射光の色味との間に差が生じ難くなる。もって、バックライト装置１２の出射光に色ムラが生じ難いものとなる。なお、図２及び図３では、呈色部２３の形成範囲を網掛け状にして図示するとともに、その青色味の濃度を網掛けの密度によって表している。つまり、図２及び図３における網掛けの密度が高いほど、青色味が濃くなり、逆に網掛けの密度が低いほど、青色味が薄いものとなる。
【００４２】
より詳しくは、呈色部２３は、図３，図６及び図７に示すように、立ち上がり反射部１９ｂのうち、一対の長辺側立ち上がり反射部１９ｂＢには設けられておらず、一対の短辺側立ち上がり反射部１９ｂＡのみに設けられている。つまり、呈色部２３は、立ち上がり反射部１９ｂのうち、底側反射部１９ａに対する傾斜角度が相対的に小さな一対の短辺側立ち上がり反射部１９ｂＡに選択的に設けられている、と言える。上記傾斜角度が相対的に小さな短辺側立ち上がり反射部１９ｂＡでは、同傾斜角度が相対的に大きな長辺側立ち上がり反射部１９ｂＢに比べると、平面に視た立ち上がり先端部から立ち上がり基端部、つまり底側反射部１９ａまでの距離が相対的に大きくなるため、ＬＥＤ１７からの青色の光の量が少なくなるとともに、多重反射に伴う波長変換シート２０による光の波長変換効率がより高くなる傾向にある。このことから、そのような短辺側立ち上がり反射部１９ｂＡに呈色部２３を選択的に設けることで、短辺側立ち上がり反射部１９ｂＡによる反射光と、長辺側立ち上がり反射部１９ｂＢによる反射光と、の間に生じ得る色味の差を緩和することができ、もって立ち上がり反射部１９ｂによる反射光の色味に差が生じ難いものとなる。
【００４３】
なお、長辺側立ち上がり反射部１９ｂＢは、図３に示すように、短辺側立ち上がり反射部１９ｂＡに比べると、平面に視た立ち上がり先端部から立ち上がり基端部（底側反射部１９ａ）までの距離が相対的に小さいので、ＬＥＤ１７からの青色の光の量がそれほど少なくならず、また光学部材１５との間で生じる多重反射に伴う波長変換シート２０による光の波長変換効率もそれほど高くならないことから、長辺側立ち上がり反射部１９ｂＢによる反射光と、底側反射部１９ａによる反射光と、の間に生じ得る色味の差が許容範囲内となっている。このため、本実施形態では、長辺側立ち上がり反射部１９ｂＢには呈色部２３が設けられない構成となっている。
【００４４】
呈色部２３は、図６に示すように、短辺側立ち上がり反射部１９ｂＡのほぼ全域にわたって設けられている。これにより、短辺側立ち上がり反射部１９ｂＡによる反射光と、底側反射部１９ａによる反射光と、の間に色味の差がより生じ難いものとなる。呈色部２３は、反射基材に塗布される塗料の濃度分布が全域にわたって概ね一定とされている。さらには、呈色部２３は、上記したようにフィルム状をなすとともに、短辺側立ち上がり反射部１９ｂＡにおける表側（波長変換シート２０側）の面に貼り付けることで短辺側立ち上がり反射部１９ｂＡに一体的に設けられている。このような構成によれば、仮に短辺側立ち上がり反射部と底側反射部とで光の吸収率や反射率が異なる反射シートを製造した場合に比べると、製造コストが低いものとなる。また、例えば、呈色部２３を貼り付けずに反射シート１９を使用することも可能となるので、呈色部２３が必要な反射シート１９と、呈色部２３が不要な反射シート１９と、でベースとなる反射シート１９を共通化することができる。
【００４５】
本実施形態は以上のような構造であり、続いてその作用を説明する。液晶表示装置１０の電源が投入されると、図示しないコントロール基板から出力される表示に係る各種信号が液晶パネル１１へと伝送されることで、液晶パネル１１の駆動が制御されるとともに、図示しないＬＥＤ駆動回路基板によりＬＥＤ基板１８のＬＥＤ１７の駆動が制御される。点灯されたＬＥＤ１７からの光は、図４及び図５に示すように、直接的に光学部材１５に照射されたり、反射シート１９により反射されて間接的に光学部材１５に照射されたりして光学部材１５にて所定の光学作用が付与された後に液晶パネル１１へと照射されることで、液晶パネル１１の表示領域にて画像の表示に利用される。
【００４６】
バックライト装置１２の光学作用（但し、後述する反射シート１９及び呈色部２３の光学作用を除く）について詳しく説明すると、図４及び図５に示すように、ＬＥＤ１７から発せられた青色の光（一次光）は、光学部材１５を構成する拡散板１５ａにて拡散作用を付与された後に、その一部が光学シート１５ｂを構成する波長変換シート２０にて緑色の光及び赤色の光（二次光）へと波長変換される。この波長変換された緑色の光及び赤色の光（二次光）と、ＬＥＤ１７の青色の光（一次光）と、によって概ね白色の照明光が得られることになる。これらＬＥＤ１７の青色の光（一次光）と、波長変換された緑色の光及び赤色の光（二次光）と、は、プリズムシート２１にてＹ軸方向について選択的に集光作用（異方性集光作用）が付与された後に、反射型偏光シート２２にて特定の偏光光（ｐ波）が選択的に透過されて液晶パネル１１に向けて出射するのに対し、それとは異なる特定の偏光光（ｓ波）が選択的に裏側へと反射される。反射型偏光シート２２にて反射されたｓ波やプリズムシート２１にて集光作用を付与されずに裏側へと反射された光や拡散板１５ａにて裏側へ向けて反射された光などは、次述する反射シート１９にて再び反射されて再び表側へ向けて進行することになる。
【００４７】
次に、反射シート１９及び呈色部２３の光学作用について詳しく説明する。反射シート１９は、ＬＥＤ１７から発せられた青色の光（一次光）や光学部材１５にて裏側へと戻された光（一次光及び二次光）を底側反射部１９ａ及び各立ち上がり反射部１９ｂにより表側へと反射する。ここで、各立ち上がり反射部１９ｂのうち、一対の短辺側立ち上がり反射部１９ｂＡには、ＬＥＤ１７の発光光（一次光）と同じ青色を呈する呈色部２３が設けられているから、短辺側立ち上がり反射部１９ｂＡでは呈色部２３によって青色の光（一次光）がより効率的に反射され、黄色の光（緑色の光及び赤色の光、二次光）がより多く吸収される。詳しくは、短辺側立ち上がり反射部１９ｂＡは、長辺側立ち上がり反射部１９ｂＢに比べると、平面に視た立ち上がり先端部から立ち上がり基端部、つまり底側反射部１９ａまでの距離が相対的に大きくなるため、ＬＥＤ１７からの青色の光の量が少なくなるとともに、光学部材１５との間で生じる多重反射に伴う波長変換シート２０による光の波長変換効率がより高くなる傾向にある。このような短辺側立ち上がり反射部１９ｂＡに呈色部２３を選択的に設けることで、短辺側立ち上がり反射部１９ｂＡによる反射光と、底側反射部１９ａによる反射光と、の間に生じ得る色味の差を緩和することができるのに加えて、短辺側立ち上がり反射部１９ｂＡによる反射光と、長辺側立ち上がり反射部１９ｂＢによる反射光と、の間に生じ得る色味の差を緩和することができる。これにより、バックライト装置１２の出射光は、画面外周側と画面中央側とで色味の均質化が図られ、もって色ムラの発生が好適に抑制されるようになっている。しかも、呈色部２３は、短辺側立ち上がり反射部１９ｂＡにおいてほぼ全域にわたって設けられているので、短辺側立ち上がり反射部１９ｂＡによる反射光の色味が、長辺側立ち上がり反射部１９ｂＢによる反射光の色味や底側反射部１９ａによる反射光の色味により近いものとなり易くなっており、もって色ムラの発生を一層好適に抑制することができる。
【００４８】
以上説明したように本実施形態のバックライト装置（照明装置）１２は、ＬＥＤ（光源）１７と、ＬＥＤ１７に対してその発光面１７ａ側とは反対側に配される底板部（底部）１４ａを有するとともにＬＥＤ１７を収容するシャーシ１４と、ＬＥＤ１７の発光面１７ａと対向状をなす形でその出光側に離れて配されるとともにＬＥＤ１７からの光を波長変換する蛍光体を含有する波長変換シート（波長変換部材）２０と、ＬＥＤ１７からの光を波長変換シート２０側へ反射する反射シート（反射部材）１９であって、底板部１４ａに倣う形で配される底側反射部１９ａと、底側反射部１９ａから波長変換シート２０側に向けて立ち上がる立ち上がり反射部１９ｂと、を少なくとも有する反射シート１９と、少なくとも立ち上がり反射部１９ｂの一部に設けられて底側反射部１９ａとの比較においてＬＥＤ１７の光の色味に近い色味を呈する呈色部２３と、を備える。
【００４９】
このようにすれば、ＬＥＤ１７から発せられた光は、反射シート１９により反射されるなどしてＬＥＤ１７の発光面１７ａと対向状をなす形でその出光側に離れて配される波長変換シート２０に含有される蛍光体によって波長変換されて出射される。反射シート１９の立ち上がり反射部１９ｂの少なくとも一部には、呈色部２３が設けられているから、呈色部２３が設けられた立ち上がり反射部１９ｂよる反射光は、底側反射部１９ａによる反射光に比べると、ＬＥＤ１７の光の色味に近い色味を帯びることになる。従って、ＬＥＤ１７から発せられて立ち上がり反射部１９ｂにて反射される光の量が、底側反射部１９ａにて反射される光の量よりも少なくなっていても、立ち上がり反射部１９ｂによる反射光と、底側反射部１９ａによる反射光と、に色味の差が生じ難いものとなる。それに加えて、立ち上がり反射部１９ｂにて多重反射が生じて波長変換シート２０による光の波長変換効率が高くなった場合でも、その反射光の色味と底側反射部１９ａによる反射光の色味との間に差が生じ難くなる。もって、当該バックライト装置１２の出射光に色ムラが生じ難いものとなる。
【００５０】
また、呈色部２３は、ＬＥＤ１７の光とは補色の関係となる色の光の吸収率が、ＬＥＤ１７の光の吸収率よりも高いものとされる。このようにすれば、立ち上がり反射部１９ｂにて反射される光のうち、ＬＥＤ１７の光とは補色の関係となる色の光は、ＬＥＤ１７の光よりも呈色部２３によって相対的に多く吸収されることになる。これにより、立ち上がり反射部１９ｂにて反射される光の色味をＬＥＤ１７の光の色味に近くすることができる。
【００５１】
また、呈色部２３は、ＬＥＤ１７の光の反射率が、ＬＥＤ１７の光とは補色の関係となる色の光の反射率よりも相対的に高いものとされる。このようにすれば、立ち上がり反射部１９ｂにて反射される光のうち、ＬＥＤ１７の光は、ＬＥＤ１７の光とは補色の関係となる色の光よりも呈色部２３によって相対的に多く反射されることになる。これにより、立ち上がり反射部１９ｂにて反射される光の色味をＬＥＤ１７の光の色味に近くすることができる。
【００５２】
また、呈色部２３は、フィルム状をなしていて少なくとも立ち上がり反射部１９ｂにおける波長変換シート２０側の面に貼り付けられている。このようにすれば、仮に立ち上がり反射部と底側反射部とで光の吸収率や反射率が異なる反射シートを製造した場合に比べると、製造コストが低いものとなる。また、例えば、呈色部２３を貼り付けずに反射シート１９を使用することも可能となるので、呈色部２３が必要な反射シート１９と、呈色部２３が不要な反射シート１９と、でベースとなる反射シート１９を共通化することができる。
【００５３】
また、立ち上がり反射部１９ｂには、底側反射部１９ａに対して傾斜状をなすとともにその傾斜角度が相対的に小さな短辺側立ち上がり反射部（第１立ち上がり反射部）１９ｂＡと、傾斜角度が相対的に大きな長辺側立ち上がり反射部（第２立ち上がり反射部）１９ｂＢと、が少なくとも含まれており、呈色部２３は、少なくとも短辺側立ち上がり反射部１９ｂＡに設けられている。短辺側立ち上がり反射部１９ｂＡでは、長辺側立ち上がり反射部１９ｂＢに比べると、ＬＥＤ１７からの光の量が少なくなるとともに、多重反射に伴う波長変換シート２０による光の波長変換効率がより高くなる傾向にある。その点、呈色部２３は、少なくとも短辺側立ち上がり反射部１９ｂＡに設けられているので、少なくとも短辺側立ち上がり反射部１９ｂＡにて生じ得る色ムラを好適に緩和することができる。
【００５４】
また、呈色部２３は、立ち上がり反射部１９ｂの全域にわたって設けられている。このようにすれば、立ち上がり反射部１９ｂによる反射光と、底側反射部１９ａによる反射光と、に色味の差がより生じ難いものとなる。
【００５５】
また、ＬＥＤ１７は、青色の光を発するものとされており、波長変換シート２０は、蛍光体として、青色の光を緑色の光に波長変換する緑色蛍光体と、青色の光を赤色の光に波長変換する赤色蛍光体と、を少なくとも含有しており、呈色部２３は、底側反射部１９ａとの比較において青色味を呈するものとされる。このようにすれば、立ち上がり反射部１９ｂよる反射光は、底側反射部１９ａによる反射光に比べると、ＬＥＤ１７から発せられた青色の光に近い青色味を帯びることになる。従って、ＬＥＤ１７から発せられて立ち上がり反射部１９ｂにて反射される光の量が、底側反射部１９ａにて反射される光の量よりも少なくなっていても、立ち上がり反射部１９ｂによる反射光と、底側反射部１９ａによる反射光と、に色味の差が生じ難いものとなる。それに加えて、立ち上がり反射部１９ｂによる多重反射が生じて波長変換シート２０による光の波長変換効率が高くなり、緑色の光及び赤色の光の比率が高くなることが懸念される場合でも、その反射光の色味と底側反射部１９ａによる反射光の色味との間に差が生じ難くなる。もって、当該バックライト装置１２の出射光に色ムラが生じ難いものとなる。
【００５６】
また、波長変換シート２０は、蛍光体として量子ドット蛍光体を含有している。このようにすれば、波長変換シート２０による光の波長変換効率がより高いものとなるとともに、波長変換された光の色純度が高いものとなる。
【００５７】
本実施形態に係る液晶表示装置１０は、上記記載のバックライト装置１２と、バックライト装置１２から照射される光を利用して画像を表示する液晶パネル（表示パネル）１１と、を備える。このような構成の液晶表示装置１０によれば、バックライト装置１２の出射光が色ムラの発生が抑制されたものとなっているから、表示品位に優れた表示を実現することができる。
【００５８】
本実施形態に係るテレビ受信装置１０ＴＶは、上記記載の表示装置を備える。このようなテレビ受信装置１０ＴＶによれば、液晶表示装置１０の表示品位が優れたものとされているから、表示品位に優れたテレビ画像の表示を実現することができる。
【００５９】
＜実施形態２＞
本発明の実施形態２を図８によって説明する。この実施形態２では、呈色部１２３の塗料に係る濃度分布を変更したものを示す。なお、上記した実施形態１と同様の構造、作用及び効果について重複する説明は省略する。
【００６０】
本実施形態に係る呈色部１２３は、図８に示すように、塗料の濃度分布が反射基材の面内において変化するものとされる。詳しくは、呈色部１２３は、塗料の濃度が、底側反射部１１９ａからの距離に応じて変化するものとされており、底側反射部１１９ａに近い側、つまり短辺側立ち上がり反射部１１９ｂＡの立ち上がり基端側ほど薄く、逆に底側反射部１１９ａから遠い側、つまり短辺側立ち上がり反射部１１９ｂＡの立ち上がり先端側ほど濃くなるような分布となっている。つまり、呈色部１２３の表面の青色味は、短辺側立ち上がり反射部１１９ｂＡの立ち上がり基端部（底側反射部１１９ａ）に近づくほど薄くなって白色、つまり底側反射部１１９ａが呈する色味に近くなるのに対し、短辺側立ち上がり反射部１１９ｂＡの立ち上がり先端部に近づく（底側反射部１１９ａから遠ざかる）ほど濃くなってＬＥＤ１１７の光の色味により近くなるものとされる。呈色部１２３は、表面の青色味が濃くなるほど青色の光（一次光）の反射率が高くなるとともに黄色の光（緑色の光及び赤色の光、二次光）の吸収率が低くなり、逆に表面の青色味が薄くなるほど青色の光の反射率が低くなるとともに黄色の光の吸収率が高くなる傾向とされる。従って、呈色部１２３は、短辺側立ち上がり反射部１１９ｂＡの立ち上がり基端部側ほど青色の光の反射率が低くなるとともに黄色の光の吸収率が高くなるのに対し、短辺側立ち上がり反射部１１９ｂＡの立ち上がり先端側ほど青色の光の反射率が高くなるとともに黄色の光の吸収率が低くなるものとされる。そして、呈色部１２３は、塗料の濃度及び表面の青色味が、短辺側立ち上がり反射部１１９ｂＡの立ち上がり基端側から立ち上がり先端側に向けて連続的に漸次変化するものとされている。なお、図８では、呈色部１２３の形成範囲を網掛け状にして図示するとともに、その青色味の濃度を網掛けの密度によって表している。つまり、図８における網掛けの密度が高いほど、青色味が濃くなり、逆に網掛けの密度が低いほど、青色味が薄いものとなる。
【００６１】
ここで、呈色部１２３が設けられた短辺側立ち上がり反射部１１９ｂＡのうち、立ち上がり先端側では、立ち上がり基端側に比べると、ＬＥＤ１１７からの光の量が少なくなるとともに、光学部材との間で生じる多重反射に伴う波長変換シートによる光の波長変換効率がより高くなる傾向にある。その点、呈色部１２３は、短辺側立ち上がり反射部１１９ｂＡのうち、立ち上がり先端側の方が立ち上がり基端部よりも青色味が濃く、ＬＥＤ１１７の光の色味に近い色味を呈するものとされているから、短辺側立ち上がり反射部１１９ｂＡにおいて立ち上がり先端側と立ち上がり基端側との間に色ムラが生じ難いものとなる。しかも、呈色部１２３の表面の青色味が、反射基材の面内において連続的に漸次変化するものとされることで、短辺側立ち上がり反射部１１９ｂＡにおいて立ち上がり先端側と立ち上がり基端側との間に色ムラがより生じ難いものとなる。
【００６２】
以上説明したように本実施形態によれば、呈色部１２３は、立ち上がり反射部１１９ｂのうち立ち上がり先端側の方が立ち上がり基端側よりもＬＥＤ１１７の光の色味に近い色味を呈するものとされる。立ち上がり反射部１１９ｂのうち、立ち上がり先端側では、立ち上がり基端側に比べると、ＬＥＤ１１７からの光の量が少なくなるとともに、多重反射に伴う波長変換シートによる光の波長変換効率がより高くなる傾向にある。その点、呈色部１２３は、立ち上がり反射部１１９ｂのうち、立ち上がり先端側の方が立ち上がり基端部よりもＬＥＤ１１７の光の色味に近い色味を呈するものとされているから、立ち上がり反射部１１９ｂにおいて立ち上がり先端側と立ち上がり基端側との間に色ムラが生じ難いものとなる。
【００６３】
＜実施形態３＞
本発明の実施形態３を図９または図１０によって説明する。この実施形態３では、上記した実施形態１から長辺側立ち上がり反射部２１９ｂＢにも呈色部２２３を設けるようにしたものを示す。なお、上記した実施形態１と同様の構造、作用及び効果について重複する説明は省略する。
【００６４】
本実施形態に係る反射シート２１９は、図９及び図１０に示すように、一対の短辺側立ち上がり反射部２１９ｂＡに加えて、一対の長辺側立ち上がり反射部２１９ｂＢにも呈色部２２３が設けられた構成とされる。つまり、この反射シート２１９においては、全ての立ち上がり反射部２１９ｂに呈色部２２３が設けられている。なお、以下では呈色部２２３を区別する場合には、短辺側立ち上がり反射部２１９ｂＡに設けられた呈色部２２３を「短辺側呈色部（第１呈色部）」としてその符号に添え字Ａを、長辺側立ち上がり反射部２１９ｂＢに設けられた呈色部２２３を「長辺側呈色部（第２呈色部）」としてその符号に添え字Ｂを付し、区別せずに総称する場合には、符号に添え字を付さないものとする。また、図９では、呈色部２２３の形成範囲を網掛け状にして図示するとともに、その青色味の濃度を網掛けの密度によって表している。つまり、図９における網掛けの密度が高いほど、青色味が濃くなり、逆に網掛けの密度が低いほど、青色味が薄いものとなる。
【００６５】
長辺側立ち上がり反射部２１９ｂＢに設けられた長辺側呈色部（第２呈色部）２２３Ｂは、図９に示すように、その表面の青色味が、短辺側立ち上がり反射部２１９ｂＡに設けられた短辺側呈色部（第１呈色部）２２３Ａに比べると、相対的に薄いものとされる。つまり、短辺側呈色部２２３Ａは、表面の色味が相対的にＬＥＤ２１７の光（一次光）の色味（青色）に近いのに対し、長辺側呈色部２２３Ｂは、表面の色味が相対的にＬＥＤ２１７の光の色味から遠くて底側反射部２１９ａにおける表面の色味（白色）に近いものとなっている。また、長辺側呈色部２２３Ｂは、図９及び図１０に示すように、長辺側立ち上がり反射部２１９ｂＢのほぼ全域にわたって設けられており、長辺側立ち上がり反射部２１９ｂＢにおける表側（波長変換シート２２０側）の面に貼り付けることで長辺側立ち上がり反射部２１９ｂＢに一体的に設けられている。また、長辺側呈色部２２３Ｂは、反射基材に塗布される塗料の濃度分布が全域にわたって概ね一定とされている。
【００６６】
このような長辺側呈色部２２３Ｂが長辺側立ち上がり反射部２１９ｂＢに設けられることで、長辺側立ち上がり反射部２１９ｂＢにて生じ得る色ムラを好適に緩和することができる。しかも、短辺側立ち上がり反射部２１９ｂＡに設けられる短辺側呈色部２２３Ａの方が、長辺側立ち上がり反射部２１９ｂＢに設けられる長辺側呈色部２２３Ｂよりも、ＬＥＤ２１７の光の色味に近い色味を呈することで、短辺側立ち上がり反射部２１９ｂＡによる反射光と長辺側立ち上がり反射部２１９ｂＢによる反射光との間に色味の差が生じ難いものとなり、色ムラの緩和を図る上で一層好適とされる。
【００６７】
以上説明したように本実施形態によれば、呈色部２２３は、長辺側立ち上がり反射部２１９ｂＢにも設けられるとともに、短辺側立ち上がり反射部２１９ｂＡに設けられるものの方が、長辺側立ち上がり反射部２１９ｂＢに設けられるものよりも、ＬＥＤ２１７の光の色味に近い色味を呈するものとされる。呈色部２２３が長辺側立ち上がり反射部２１９ｂＢに設けられることで、長辺側立ち上がり反射部２１９ｂＢにて生じ得る色ムラを好適に緩和することができる。しかも、短辺側立ち上がり反射部２１９ｂＡに設けられる呈色部２２３の方が、長辺側立ち上がり反射部２１９ｂＢに設けられる呈色部２２３よりも、ＬＥＤ２１７の光の色味に近い色味を呈することで、短辺側立ち上がり反射部２１９ｂＡによる反射光と長辺側立ち上がり反射部２１９ｂＢによる反射光との間に色味の差が生じ難いものとなり、色ムラの緩和を図る上で一層好適とされる。
【００６８】
＜実施形態４＞
本発明の実施形態４を図１１によって説明する。この実施形態４では、上記した実施形態３から各呈色部３２３の塗料に係る濃度分布を、実施形態２と同様に変更したものを示す。なお、上記した実施形態２，３と同様の構造、作用及び効果について重複する説明は省略する。
【００６９】
本実施形態に係る各呈色部３２３は、図１１に示すように、それぞれの塗料の濃度分布が各反射基材の面内において変化するものとされる。詳しくは、各呈色部３２３は、それぞれの塗料の濃度が、底側反射部３１９ａからの距離に応じて変化するものとされており、底側反射部３１９ａに近い側、つまり各立ち上がり反射部３１９ｂの立ち上がり基端側ほど薄く、逆に底側反射部３１９ａから遠い側、つまり各立ち上がり反射部３１９ｂの立ち上がり先端側ほど濃くなるような分布となっている。つまり、各呈色部３２３の表面の青色味は、各立ち上がり反射部３１９ｂの立ち上がり基端部（底側反射部３１９ａ）に近づくほど薄くなって白色、つまり底側反射部３１９ａが呈する色味に近くなるのに対し、各立ち上がり反射部３１９ｂの立ち上がり先端部に近づく（底側反射部３１９ａから遠ざかる）ほど濃くなってＬＥＤ３１７の光の色味により近くなるものとされる。各呈色部３２３は、表面の青色味が濃くなるほど青色の光（一次光）の反射率が高くなるとともに黄色の光（緑色の光及び赤色の光、二次光）の吸収率が低くなり、逆に表面の青色味が薄くなるほど青色の光の反射率が低くなるとともに黄色の光の吸収率が高くなる傾向とされる。従って、各呈色部３２３は、各立ち上がり反射部３１９ｂの立ち上がり基端部側ほど青色の光の反射率が低くなるとともに黄色の光の吸収率が高くなるのに対し、各立ち上がり反射部３１９ｂの立ち上がり先端側ほど青色の光の反射率が高くなるとともに黄色の光の吸収率が低くなるものとされる。そして、各呈色部３２３は、塗料の濃度及び表面の青色味が、各立ち上がり反射部３１９ｂの立ち上がり基端側から立ち上がり先端側に向けて連続的に漸次変化するものとされている。
【００７０】
さらには、長辺側呈色部３２３Ｂは、図１１に示すように、長辺側立ち上がり反射部３１９ｂＢの立ち上がり基端部における青色味が、短辺側立ち上がり反射部３１９ｂＡの立ち上がり基端部における短辺側呈色部３２３Ａの青色味よりも薄い（青色の光の反射率が低い）ものとされるとともに、長辺側立ち上がり反射部３１９ｂＢの立ち上がり先端部における青色味が、短辺側立ち上がり反射部３１９ｂＡの立ち上がり先端部における短辺側呈色部３２３Ａの青色味よりも薄いものとされている。つまり、長辺側呈色部３２３Ｂは、その表面の青色味が全体として短辺側呈色部３２３Ａの表面の青色味よりも薄く、青色の光の反射率が相対的に低いものとなっている。なお、短辺側呈色部３２３Ａ及び長辺側呈色部３２３Ｂにおける表面の青色味の濃さに係る変化率は、同等にすることもできるが異ならせることも可能である。また、短辺側呈色部３２３Ａの立ち上がり基端部における表面の青色味の濃さと、長辺側呈色部３２３Ｂの立ち上がり先端部における表面の青色味の濃さと、を同等にすることもできるが異ならせることも可能である。なお、図１１では、呈色部３２３の形成範囲を網掛け状にして図示するとともに、その青色味の濃度を網掛けの密度によって表している。つまり、図１１における網掛けの密度が高いほど、青色味が濃くなり、逆に網掛けの密度が低いほど、青色味が薄いものとなる。
【００７１】
＜実施形態５＞
本発明の実施形態５を図１２によって説明する。この実施形態５では、上記した実施形態３から立ち上がり反射部４１９ｂの構成及び呈色部４２３の構成を変更したものを示す。なお、上記した実施形態３と同様の構造、作用及び効果について重複する説明は省略する。
【００７２】
本実施形態に係る立ち上がり反射部４１９ｂは、図１２に示すように、短辺側立ち上がり反射部４１９ｂＡと長辺側立ち上がり反射部４１９ｂＢとで、底側反射部４１９ａに対する傾斜角度がほぼ同じとされるとともに、平面に視た立ち上がり先端部から立ち上がり基端部、つまり底側反射部４１９ａまでの距離がほぼ同じとされる。それに応じて呈色部４２３は、短辺側立ち上がり反射部４１９ｂＡに設けられる短辺側呈色部４２３Ａと、長辺側立ち上がり反射部４１９ｂＢに設けられる長辺側呈色部４２３Ｂと、で、反射基材の表面に塗布される塗料の濃度、つまり表面の青色味が同等とされている。なお、図１２では、呈色部４２３の形成範囲を網掛け状にして図示するとともに、その青色味の濃度を網掛けの密度によって表している。つまり、図１２における網掛けの密度が高いほど、青色味が濃くなり、逆に網掛けの密度が低いほど、青色味が薄いものとなる。
【００７３】
＜実施形態６＞
本発明の実施形態６を図１３によって説明する。この実施形態６では、上記した実施形態１から呈色部５２３の形成範囲を変更したものを示す。なお、上記した実施形態１と同様の構造、作用及び効果について重複する説明は省略する。
【００７４】
本実施形態に係る呈色部５２３は、図１３に示すように、短辺側立ち上がり反射部５１９ｂＡと底側反射部５１９ａとに跨る形で設けられている。詳しくは、この呈色部５２３は、短辺側立ち上がり反射部５１９ｂＡのほぼ全域に加えて、底側反射部５１９ａにおける短辺側の外端側部分にも設けられており、短辺側立ち上がり反射部５１９ｂＡと底側反射部５１９ａとの境界位置を跨いで延在する配置となっている。呈色部５２３は、その内端部が、底側反射部５１９ａの面内においてその長辺方向（Ｘ軸方向）について最も端（最も短辺側立ち上がり反射部５１９ｂＡの近く）に位置するＬＥＤ５１７よりもＸ軸方向について外寄りに位置しており、上記ＬＥＤ５１７とは平面に視て非重畳の配置とされる。このような構成によれば、短辺側立ち上がり反射部５１９ｂＡのみならず底側反射部５１９ａにまで色ムラの発生が懸念される場合に好適とされる。
【００７５】
以上説明したように本実施形態によれば、呈色部５２３は、短辺側立ち上がり反射部（立ち上がり反射部）５１９ｂＡと底側反射部５１９ａとに跨る形で設けられている。このようにすれば、短辺側立ち上がり反射部５１９ｂＡのみならず底側反射部５１９ａにまで色ムラの発生が懸念される場合に好適とされる。
【００７６】
＜実施形態７＞
本発明の実施形態７を図１４によって説明する。この実施形態７では、上記した実施形態６から呈色部６２３の形成範囲を変更したものを示す。なお、上記した実施形態６と同様の構造、作用及び効果について重複する説明は省略する。
【００７７】
本実施形態に係る呈色部６２３は、図１４に示すように、短辺側立ち上がり反射部６１９ｂＡと底側反射部６１９ａとの境界部分に選択的に設けられている。詳しくは、この呈色部６２３は、短辺側立ち上がり反射部６１９ｂＡにおける立ち上がり基端側部分と、底側反射部６１９ａにおける短辺側の外端側部分と、に設けられており、短辺側立ち上がり反射部６１９ｂＡと底側反射部６１９ａとの境界位置を跨いで延在する配置となっている。一方、本実施形態では、短辺側立ち上がり反射部６１９ｂＡと底側反射部６１９ａとの境界位置から、Ｘ軸方向について最も端（最も短辺側立ち上がり反射部６１９ｂＡの近く）に位置するＬＥＤ６１７までの距離が、上記した実施形態６よりも大きなものとなっている。このような構成では、短辺側立ち上がり反射部６１９ｂＡと底側反射部６１９ａとの境界位置付近において局所的に色ムラが生じるおそれがあるものの、上記したように、短辺側立ち上がり反射部６１９ｂＡと底側反射部６１９ａとの境界部分に呈色部６２３を選択的に設けることで、色ムラを好適に緩和することができる。
【００７８】
以上説明したように本実施形態によれば、呈色部６２３は、短辺側立ち上がり反射部（立ち上がり反射部）６１９ｂＡと底側反射部６１９ａとの境界部分に選択的に設けられている。例えば、短辺側立ち上がり反射部６１９ｂＡと底側反射部６１９ａとの境界位置からＬＥＤ６１７までの距離が大きな場合には、短辺側立ち上がり反射部６１９ｂＡと底側反射部６１９ａとの境界位置付近において局所的に色ムラが生じるおそれがあるが、そのような場合でも、短辺側立ち上がり反射部６１９ｂＡと底側反射部６１９ａとの境界部分に呈色部６２３を選択的に設けることで、色ムラの緩和に好適となる。
【００７９】
＜実施形態８＞
本発明の実施形態８を図１５によって説明する。この実施形態８では、上記した実施形態１から短辺側立ち上がり反射部７１９ｂＡに対する呈色部７２３の設置方法を変更したものを示す。なお、上記した実施形態１と同様の構造、作用及び効果について重複する説明は省略する。
【００８０】
本実施形態に係る呈色部７２３は、図１５に示すように、短辺側立ち上がり反射部７１９ｂＡの表面（波長変換シート７２０側の面を含む）に対して青色を呈する塗料を塗布することで設けられている。短辺側立ち上がり反射部７１９ｂＡの表面に呈色部７２３を塗布する具体的な手法としては、スクリーン印刷法、インクジェット印刷法、スプレー塗装法、ローラー塗装法などが挙げられる。このような構成によれば、仮に短辺側立ち上がり反射部と底側反射部とで光の吸収率や反射率が異なる反射シートを製造した場合に比べると、製造コストが低いものとなる。また、例えば、呈色部７２３を塗布せずに反射シート７１９を使用することも可能となるので、呈色部７２３が必要な反射シート７１９と、呈色部７２３が不要な反射シート７１９と、でベースとなる反射シート７１９を共通化することができる。
【００８１】
以上説明したように本実施形態によれば、呈色部７２３は、少なくとも短辺側立ち上がり反射部（立ち上がり反射部）７１９ｂＡにおける波長変換シート７２０側の面に塗布されてなる。このようにすれば、仮に短辺側立ち上がり反射部と底側反射部とで光の吸収率や反射率が異なる反射シートを製造した場合に比べると、製造コストが低いものとなる。また、例えば、呈色部７２３を塗布せずに反射シート７１９を使用することも可能となるので、呈色部７２３が必要な反射シート７１９と、呈色部７２３が不要な反射シート７１９と、でベースとなる反射シート７１９を共通化することができる。
【００８２】
＜実施形態９＞
本発明の実施形態９を図１６によって説明する。この実施形態９では、上記した実施形態３から底側反射部８１９ａにも呈色部８２３を設けるようにしたものを示す。なお、上記した実施形態３と同様の構造、作用及び効果について重複する説明は省略する。
【００８３】
本実施形態に係る反射シート８１９は、図１６に示すように、一対の短辺側立ち上がり反射部８１９ｂＡ及び一対の長辺側立ち上がり反射部８１９ｂＢに加えて、底側反射部８１９ａにも呈色部８２３が設けられた構成とされる。つまり、この反射シート８１９においては、全域にわたって呈色部８２３が設けられている。なお、以下では呈色部８２３を区別する場合には、短辺側立ち上がり反射部８１９ｂＡに設けられた呈色部８２３を「短辺側呈色部（第１呈色部）」としてその符号に添え字Ａを、長辺側立ち上がり反射部８１９ｂＢに設けられた呈色部８２３を「長辺側呈色部（第２呈色部）」としてその符号に添え字Ｂを、底側反射部８１９ａに設けられた呈色部８２３を「底側呈色部（第３呈色部）」としてその符号に添え字Ｃを付し、区別せずに総称する場合には、符号に添え字を付さないものとする。また、図１６では、呈色部８２３の形成範囲を網掛け状にして図示するとともに、その青色味の濃度を網掛けの密度によって表している。つまり、図１６における網掛けの密度が高いほど、青色味が濃くなり、逆に網掛けの密度が低いほど、青色味が薄いものとなる。
【００８４】
底側反射部８１９ａに設けられた底側呈色部（第３呈色部）８２３Ｃは、図１６に示すように、その表面の青色味が、長辺側立ち上がり反射部８１９ｂＢに設けられた長辺側呈色部（第２呈色部）８２３Ｂに比べると、相対的に薄いものとされる。つまり、長辺側呈色部８２３Ｂは、表面の色味が、底側呈色部８２３Ｃに比べるとＬＥＤ８１７の光（一次光）の色味（青色）に近いのに対し、底側呈色部８２３Ｃは、表面の色味が、長辺側呈色部８２３Ｂに比べると、相対的にＬＥＤ８１７の光の色味から遠くなるものとされる。従って、呈色部８２３は、その表面の青色味が、底側呈色部８２３Ｃ、長辺側呈色部８２３Ｂ、短辺側呈色部（第１呈色部）８２３Ａの順でＬＥＤ８１７の光の色味に段階的に近くなるものとされる。また、底側呈色部８２３Ｃは、底側反射部８１９ａのほぼ全域にわたって設けられており、底側反射部８１９ａにおける表側（波長変換シート側）の面に貼り付けることで底側反射部８１９ａに一体的に設けられている。また、底側呈色部８２３Ｃは、反射基材に塗布される塗料の濃度分布が全域にわたって概ね一定とされている。
【００８５】
＜他の実施形態＞
本発明は上記記述及び図面によって説明した実施形態に限定されるものではなく、例えば次のような実施形態も本発明の技術的範囲に含まれる。
（１）上記した各実施形態（実施形態８を除く）では、呈色部が反射基材の表面に塗料を塗布してなるものとされる場合を示したが、呈色部を、例えば半透明の基材などの透光性を有する基材に特定の波長領域の光を選択的に吸収する色素を所定の濃度でもって含有させてなるものとすることも可能である。その場合、呈色部は、主に特定の波長領域の光を選択的に吸収する機能を有することになるので、ＬＥＤからの光などを反射する機能については、立ち上がり反射部が担うこととなる。具体的には、呈色部を構成する半透明の基材の材料としては、セロハンなどを用いることが可能であり、また半透明の基材に含有させる色素としては青色（ＬＥＤの光に近い色）を呈するものを用いることが可能である。
【００８６】
（２）上記した各実施形態では、光源として青色の単色光を発するＬＥＤを用いた場合を示したが、光源として青色以外の色の光を発するＬＥＤを用いることも可能であり、その場合は呈色部が呈する色もＬＥＤの光の色に応じて変更すればよい。例えば、マゼンタ色の光を発するＬＥＤを用いるとともに、呈色部として表面がマゼンタ色を呈するもの（マゼンタ色の光の吸収率が補色となる緑色の光の吸収率よりも相対的に低くなるとともに、マゼンタ色の光の反射率が補色となる緑色の光の反射率よりも相対的に高くなるもの）を用いることができる。この場合は、波長変換シートに含有させる蛍光体として緑色蛍光体を用いれば、バックライト装置の照明光（出射光）を白色化することができる。
【００８７】
（３）上記した（２）以外にも、紫色の光を発するＬＥＤを用いるとともに、呈色部として表面が紫色を呈するもの（紫色の光の吸収率が補色となる黄緑色の光の吸収率よりも相対的に低くなるとともに、紫色の光の反射率が補色となる黄緑色の光の反射率よりも相対的に高くなるもの）を用いることができる。この場合は、波長変換シートに含有させる蛍光体として黄色蛍光体及び緑色蛍光体を所定の含有比率でもって用いれば、バックライト装置の照明光（出射光）を白色化することができる。
【００８８】
（４）上記した（２），（３）以外にも、シアン色の光を発するＬＥＤを用いるとともに、呈色部として表面がシアン色を呈するもの（シアン色の光の吸収率が補色となる赤色の光の吸収率よりも相対的に低くなるとともに、シアン色の光の反射率が補色となる赤色の光の反射率よりも相対的に高くなるもの）を用いることができる。この場合は、波長変換シートに含有させる蛍光体として赤色蛍光体を用いれば、バックライト装置の照明光（出射光）を白色化することができる。
【００８９】
（５）上記した各実施形態では、短辺側立ち上がり反射部が長辺側立ち上がり反射部よりも底側反射部に対する傾斜角度が小さくなるとともに平面に視た立ち上がり先端部から立ち上がり基端部までの距離が長くなる場合や同傾斜角度及び同距離が同等になる場合を示したが、長辺側立ち上がり反射部が短辺側立ち上がり反射部よりも平面に視た立ち上がり先端部から立ち上がり基端部までの距離が長くなる構成のものにも本発明は適用可能である。その場合は、少なくとも長辺側立ち上がり反射部に呈色部を設けるようにするのが色ムラを効果的に緩和する上で好ましい。
【００９０】
（６）上記した各実施形態では、立ち上がり反射部が底側反射部に対して傾斜状をなしていて直線状に立ち上がる構成を示したが、立ち上がり反射部が底側反射部から曲線状（円弧状など）をなしつつ立ち上がる構成を採ることも可能である。
【００９１】
（７）上記した各実施形態以外にも、光学シートを構成する波長変換シート、プリズムシート、反射型偏光シートの積層順は、適宜に変更可能である。また、光学シートの枚数や種類についても適宜に変更可能である。また、光学部材に含まれる拡散板の枚数を変更したり、拡散板を除去することも可能である。
【００９２】
（８）上記した実施形態７では、呈色部が、立ち上がり反射部と底側反射部との境界位置を跨ぐ形で境界部分に選択的に設けられたものを示したが、例えば呈色部が、立ち上がり反射部と底側反射部との境界位置を跨ぐことなく、立ち上がり反射部における立ち上がり基端側部分に選択的に設けられる構成を採ることも可能である。また、立ち上がり反射部における立ち上がり先端側部分に選択的に呈色部を設けるようにすることも可能である。また、立ち上がり反射部における立ち上がり中央側部分に選択的に呈色部を設けるようにすることも可能である。
【００９３】
（９）上記した実施形態６，７に記載した構成を、実施形態２〜５，８，９のいずれかに記載した構成に組み合わせることも可能である。実施形態６，７に記載した構成を、実施形態３〜５に組み合わせた場合、長辺側呈色部が長辺側立ち上がり反射部と底側反射部とに跨る形で設けられることになる。具体的には、長辺側呈色部は、長辺側立ち上がり反射部のほぼ全域に加えて、底側反射部における長辺側の外端側部分にも設けられており、長辺側立ち上がり反射部と底側反射部との境界位置を跨いで延在する配置となる。
【００９４】
（１０）上記した実施形態６，７以外にも、立ち上がり反射部や底側反射部における呈色部の具体的な形成範囲は適宜に変更可能である。
【００９５】
（１１）上記した実施形態８に記載した構成を、実施形態２〜５，９に記載した構成に組み合わせることも可能である。
【００９６】
（１２）上記した実施形態９に記載した構成を、実施形態４，５に記載した構成に組み合わせることも可能である。
【００９７】
（１３）上記した各実施形態では、波長変換シートが緑色蛍光体及び赤色蛍光体を含む構成とされる場合を示したが、波長変換シートに黄色蛍光体のみを含ませた構成としたり、黄色蛍光体に加えて赤色蛍光体や緑色蛍光体を含ませた構成としたりすることも可能である。
【００９８】
（１４）上記した各実施形態では、波長変換シートに含まれる蛍光体として用いた量子ドット蛍光体をＣｄＳｅ及びＺｎＳからなるコア・シェル型とした場合を例示したが、内部組成を単一組成としたコア型量子ドット蛍光体を用いることも可能である。例えば、２価の陽イオンになるＺｎ、Ｃｄ、Ｈｇ、Ｐｂ等と２価の陰イオンになるＯ、Ｓ、Ｓｅ、Ｔｅ等とを組み合わせた材料（ＣｄＳｅ、ＣｄＳ、ＺｎＳ）を単独で用いることが可能である。さらには、３価の陽イオンとなるＧａ、Ｉｎ等と３価の陰イオンとなるＰ、Ａｓ、Ｓｂ等とを組み合わせた材料（ＩｎＰ（リン化インジウム）、ＧａＡｓ（ヒ化ガリウム）等）やカルコパイライト型化合物（ＣｕＩｎＳｅ2等）などを単独で用いることも可能である。また、コア・シェル型やコア型の量子ドット蛍光体以外にも、合金型の量子ドット蛍光体を用いることも可能である。また、カドミウムを含有しない量子ドット蛍光体を用いることも可能である。
【００９９】
（１５）上記した各実施形態では、波長変換シートに含まれる蛍光体として用いた量子ドット蛍光体をＣｄＳｅ及びＺｎＳのコア・シェル型とした場合を例示したが、他の材料同士を組み合わせてなるコア・シェル型の量子ドット蛍光体を用いることも可能である。
【０１００】
（１６）上記した各実施形態では、波長変換シートに量子ドット蛍光体を含有させた構成のものを例示したが、他の種類の蛍光体を波長変換シートに含有させるようにしても構わない。例えば、波長変換シートに含有させる蛍光体として硫化物蛍光体を用いることができ、具体的には緑色蛍光体としてＳｒＧａ2Ｓ4：Ｅｕ2+を、赤色蛍光体として（Ｃａ，Ｓｒ，Ｂａ）Ｓ：Ｅｕ2+を、それぞれ用いることが可能である。
【０１０１】
（１７）上記した（１６）以外にも、波長変換シートに含有させる緑用蛍光体を、(Ｃａ，Ｓｒ，Ｂａ) 3ＳｉＯ4：Ｅｕ2+、β−ＳｉＡｌＯＮ：Ｅｕ2+、Ｃａ3Ｓｃ2Ｓｉ3Ｏ12：Ｃｅ3+などとすることができる。また、波長変換シートに含有させる赤色用蛍光体を、(Ｃａ，Ｓｒ，Ｂａ) 2ＳｉＯ5Ｎ8：Ｅｕ2+、ＣａＡｌＳｉＮ3：Ｅｕ2+などとすることができる。さらには、波長変換シートに含有させる黄色用蛍光体を、(Ｙ，Ｇｄ) 3 (Ａｌ，Ｇａ) 5Ｏ12：Ｃｅ3+（通称 ＹＡＧ：Ｃｅ3+）、α−ＳｉＡｌＯＮ：Ｅｕ2+、(Ｃａ，Ｓｒ，Ｂａ) 3ＳｉＯ4：Ｅｕ2+などとすることができる。それ以外にも、波長変換シートに含有させる蛍光体として、複フッ化物蛍光体（マンガン付活のケイフッ化カリウム（Ｋ2ＴｉＦ6）など）を用いることも可能である。
【０１０２】
（１８）上記した（１６），（１７）以外にも、波長変換シートに含有させる蛍光体として有機蛍光体を用いることができる。有機蛍光体としては、例えばトリアゾールまたはオキサジアゾールを基本骨格とした低分子の有機蛍光体を用いることができる。
【０１０３】
（１９）上記した（１６），（１７），（１８）以外にも、波長変換シートに含有させる蛍光体としてドレスト光子（近接場光）を介したエネルギー移動によって波長変換を行う蛍光体を用いることも可能である。この種の蛍光体としては、具体的には、直径３ｎｍ〜５ｎｍ（好ましくは４ｎｍ程度）の酸化亜鉛量子ドット（ＺｎＯ−ＱＤ）にＤＣＭ色素を分散・混合させた構成の蛍光体を用いるのが好ましい。
【０１０４】
（２０）上記した各実施形態以外にも、ＬＥＤの発光スペクトル（ピーク波長の数値、ピークの半値幅の数値など）及び蛍光体層に含まれる蛍光体の発光スペクトル（ピーク波長の数値、ピークの半値幅の数値など）に関しては、適宜に変更することが可能である。
【０１０５】
（２１）上記した各実施形態では、ＬＥＤを構成するＬＥＤ素子の材料としてＩｎＧａＮを用いた場合を示したが、他のＬＥＤ素子の材料として、例えばＧａＮ、ＡｌＧａＮ、ＧａＰ、ＺｎＳｅ、ＺｎＯ、ＡｌＧａＩｎＰなどを用いることも可能である。
【０１０６】
（２２）上記した各実施形態では、シャーシが金属製とされた場合を例示したが、シャーシを合成樹脂製とすることも可能である。
【０１０７】
（２３）上記した各実施形態では、光学部材がフレームによって表側から押さえられてシャーシの受け板部との間で挟持される構成を例示したが、例えば光学部材をフレームによって裏側から支持するようにし、光学部材を表側から押さえ付けない構成を採ることも可能である。
【０１０８】
（２４）上記した各実施形態では、光源としてＬＥＤを用いたものを示したが、有機ＥＬなどの他の光源を用いることも可能である。
【０１０９】
（２５）上記した各実施形態では、液晶パネル及びシャーシがその短辺方向を鉛直方向と一致させた縦置き状態とされるものを例示したが、液晶パネル及びシャーシがその長辺方向を鉛直方向と一致させた縦置き状態とされるものも本発明に含まれる。
【０１１０】
（２６）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、カラー表示する液晶表示装置以外にも、白黒表示する液晶表示装置にも適用可能である。
【０１１１】
（２７）上記した各実施形態では、透過型の液晶表示装置を例示したが、それ以外にも反射型の液晶表示装置や半透過型の液晶表示装置にも本発明は適用可能である。
【０１１２】
（２８）上記した各実施形態では、表示パネルとして液晶パネルを用いた液晶表示装置を例示したが、他の種類の表示パネルを用いた表示装置にも本発明は適用可能である。
【０１１３】
（２９）上記した各実施形態では、チューナーを備えたテレビ受信装置を例示したが、チューナーを備えない表示装置にも本発明は適用可能である。具体的には、電子看板（デジタルサイネージ）や電子黒板として使用される液晶表示装置にも本発明は適用することができる。
【符号の説明】
【０１１４】
１０...液晶表示装置（表示装置）、１０ＴＶ...テレビ受信装置、１１...液晶パネル（表示パネル）、１２...バックライト装置（照明装置）、１４...シャーシ、１４ａ...底板部（底部）、１７，１１７，２１７，３１７，５１７，６１７，８１７...ＬＥＤ（光源）、１７ａ...発光面、１９，２１９，７１９，８１９...反射シート（反射部材）、１９ａ，１１９ａ，２１９ａ，３１９ａ，５１９ａ，６１９ａ，８１９ａ...底側反射部、１９ｂ，２１９ｂ，３１９ｂ，４１９ｂ，７１９ｂ，８１９ｂ...立ち上がり反射部、１９ｂＡ，１１９ｂＡ，２１９ｂＡ，３１９ｂＡ，４１９ｂＡ，５１９ｂＡ，６１９ｂＡ，７１９ｂＡ，８１９ｂＡ...短辺側立ち上がり反射部（第１立ち上がり反射部）、１９ｂＢ，２１９ｂＢ，３１９ｂＢ，４１９ｂＢ，８１９ｂＢ...長辺側立ち上がり反射部（第２立ち上がり反射部）、２０，２２０，７２０...波長変換シート（波長変換部材）、２３，１２３，２２３，３２３，４２３，５２３，６２３，７２３，８２３...呈色部
【図１】
2016136787.tif 000003
【図２】
2016136787.tif 000004
【図３】
2016136787.tif 000005
【図４】
2016136787.tif 000006
【図５】
2016136787.tif 000007
【図６】
2016136787.tif 000008
【図７】
2016136787.tif 000009
【図８】
2016136787.tif 000010
【図９】
2016136787.tif 000011
【図１０】
2016136787.tif 000012
【図１１】
2016136787.tif 000013
【図１２】
2016136787.tif 000014
【図１３】
2016136787.tif 000015
【図１４】
2016136787.tif 000016
【図１５】
2016136787.tif 000017
【図１６】
2016136787.tif 000018
【国際調査報告】
2016136787.tif 000019
2016136787.tif 000020
2016136787.tif 000021
2016136787.tif 000022